【手続補正書】
【提出日】平成19年8月7日(2007.8.7)
【手続補正１】
【補正対象書類名】明細書
【補正対象項目名】特許請求の範囲
【補正方法】変更
【補正の内容】
【特許請求の範囲】
【請求項１】  流体中の浮遊粒子を検出する装置であって、
少なくとも第１の偏光光線と第２の偏光光線とを提供する光源と、気体の一部が流れる粒子検出ゾーンと、前記第１の光線と前記第２の光線とを交互に検出ゾーンに照射するための制御手段と、前記検出ゾーン内で粒子によって散乱された光を受光するためのセンサ手段と、前記検出ゾーン内の所定の条件を指定する出力手段とを有する
ことを特徴とする粒子検出装置。
【請求項２】  前記第１の偏光光線と前記第２の偏光光線の少なくとも一つは、相対的に異なる偏光特性の偏光フィルタを通して出射された前記光源からの光によって供給される
ことを特徴とする請求項１に記載の粒子検出装置。
【請求項３】  前記第１の偏光光線と前記第２の偏光光線の少なくとも一つは、異なる偏光状態を有する光源から供給される
ことを特徴とする請求項１に記載の粒子検出装置。
【請求項４】  前記異なる偏光状態を有する光源は、偏光または波長の少なくとも一が異なる光を出射するレーザダイオードである
ことを特徴とする請求項３に記載の粒子検出装置。
【請求項５】  前記光源は少なくとも２つの光源を含んでおり、前記粒子検出装置は機械的に固定されており、前記第１の光線および前記第２の光線は独立して出射され、前記第１の偏光光線と前記第２の偏光光線とは偏光が異なっており、前記第１の偏光光線と前記第２の偏光光線とは異なる位置から出射され、前記第１の偏光光線と前記第２の偏光光線とは波長が異なる
ことを特徴とする請求項１乃至４のいずれか一に記載の粒子検出装置。
【請求項６】  流体中の浮遊粒子を検出する装置であって、
本体と、
少なくとも第１の光と第２の光とを供給する光源と、
気体の一部が流入する粒子検出ゾーンと、
前記第１の光または前記第２の光を交互に前記検出ゾーンへ照射するための制御を行う制御手段と、
前記検出ゾーン内において粒子によって散乱された光を受光するセンサ手段と、
前記検出ゾーン内の状態を指定する出力手段とを備え、
前記本体は、実質的に同じである二つの部分により構成される
ことを特徴とする粒子検出装置。
【請求項７】  前記第１の光および前記第２の光は、粒子を検出する領域に対しほぼ反対側から照射される
ことを特徴とする請求項６に記載の粒子検出装置。
【請求項８】  前記本体は、軸に対してほぼ対称形である
ことを特徴とする請求項７に記載の粒子検出装置。
【請求項９】  本体と、前記本体に取り付けられ、空気の一部が流入する検出ゾーンへ照射する２以上の光源と、本体に取り付けられ、前記検出ゾーンからの散乱光を受信する一つの受信センサとを有し、
前記光源は前記検出ゾーンへの照射に適合し、
前記光源から照射される光はパルス光であり、各々の光源から出射される光の波長、偏光または、検出ゾーンに流入する煙および埃の粒子にあたる角度は異なり、ある範囲の大きさの煙粒子、あるいは埃粒子によって散乱され、前記センサは、散乱光の少なくとも一部を受信すると、信号を生成し解析し、粒子の濃度と、粒子の大きさ若しくは大きさの範囲とを決定する
ことを特徴とする粒子検出器。
【請求項１０】  空気を含む気体の一部を取り入れる吸気口を備える本体と、
警報条件を指定する出力手段と、
光源を備えた粒子検出部と、
粒子サイズ識別手段と
を有し、
所定の時間、選択された大きさの粒子の濃度の変化を解析することによって、前記警報条件を指定する
ことを特徴とする粒子検出器。
【請求項１１】  前記粒子サイズ識別手段は、相対的に、大きな粒子を検出する
ことを特徴とする請求項１０に記載の粒子検出器。
【請求項１２】  熱分解を示す警報条件は、相対的に大きな粒子がゆっくりと増加することに基づいて決定される
ことを特徴とする請求項１０または１１に記載の粒子検出器。
【請求項１３】  前記粒子サイズ識別手段は、相対的に小さな粒子を検出する
ことを特徴とする請求項１０に記載の粒子検出器。
【請求項１４】  炎を出して燃えている火を示す警報条件は、相対的に、小さな粒子が急激に増加することに基づいて決定される
ことを特徴とする請求項１０または１３に記載の粒子検出器。
【請求項１５】  触媒が用いられたことを示す警報条件は、小さな粒子が急激に増加する前に存在する熱分解の期間が短いことに基づいて決定される
ことを特徴とする請求項１４に記載の粒子検出器。
【請求項１６】  前記粒子サイズ識別手段は、浮遊している埃の量を決定する
ことを特徴とする請求項１０に記載の粒子検出器。
【請求項１７】  個別の警報出力は、前記警報条件の少なくとも一に対し供給される
ことを特徴とする請求項１０乃至１５のいずれか一に記載の粒子検出器。
【請求項１８】  前記粒子サイズ識別手段は、相対的に小さな粒子を検出するための第１の光源と、相対的に大きな粒子を検出するための第２の光源とを有する
ことを特徴とする請求項１０乃至１７のいずれか一に記載の粒子検出器。
【請求項１９】  前記第１の光源および前記第２の光源は交互に動作する
ことを特徴とする請求項１８に記載の粒子検出器。
【請求項２０】  前記粒子サイズ識別手段は、相対的に波長の短い光と相対的に波長の長い光とを用いて粒子の大きさを検出する
ことを特徴とする請求項１０乃至１９のいずれか一に記載の粒子検出器。
【請求項２１】  前記粒子サイズ識別手段は、水平偏光の光と垂直偏光の光とを用いて粒子の検出を行う
ことを特徴とする請求項１０乃至１９のいずれか一に記載の粒子検出器。
【請求項２２】  請求項１０乃至２１のいずれか一に記載の粒子検出器を有する煙検出器。
【請求項２３】  請求項１０乃至２１のいずれか一に記載の粒子検出器を有する埃検出器。
【請求項２４】  請求項１乃至９のいずれか一に記載の粒子検出装置を有する煙検出器。
【請求項２５】  請求項１０乃至２１のいずれか一に記載の粒子検出器を有し、警報装置の誤動作を防ぐために埃を区別する
ことを特徴とする煙検出器。
【請求項２６】  熱分解、燻り火または煙の発生に対応した警報条件を決定する方法であって、
（ａ）気体の一部を提供する過程と、
（ｂ）光源から放射された光に前記気体の一部を吹きつける過程と、
（ｃ）前記放射された光を用いて、粒子サイズまたはサイズ範囲若しくはその両方を決定する過程と、
（ｄ）所定の期間、選択されたサイズの粒子の数また選択されたサイズの範囲にある粒子の数またはその両方、若しくは濃度が変化したか否かを判断する過程と、
（ｅ）前記（ｄ）の過程において、前記計測された数または濃度が選択された基準値の範囲に収まる場合、警報を発する過程とを有する
ことを特徴とする検出方法。
【請求項２７】  前記決定される粒子サイズまたはサイズ範囲若しくはその両方は、相対的に大きなサイズまたはサイズ範囲である
ことを特徴とする請求項２６に記載の検出方法。
【請求項２８】  熱分解を示す警報条件は、相対的に、大きな粒子がゆっくりと増加することに基づいて決定される
ことを特徴とする請求項２６または２７に記載の検出方法。
【請求項２９】  前記粒子サイズまたはサイズ範囲若しくはその両方は、相対的に大きなサイズまたはサイズ範囲である
ことを特徴とする請求項２７に記載の検出方法。
【請求項３０】  炎を出して燃えている火を示す警報条件は、相対的に、小さなサイズまたはサイズ範囲にある粒子が急激に増加することに基づいて決定される
ことを特徴とする請求項２６または２９に記載の検出方法。
【請求項３１】  触媒が用いられたことを示す警報条件は、小さなサイズのまたはサイズ範囲にある粒子が、急激に増加する前に存在する熱分解の期間が短いことに基づいて決定されることを特徴とする請求項３０に記載の検出方法。
【請求項３２】  警報装置の誤動作を減少させるために、浮遊している埃の量を決定する
ことを特徴とする請求項２６に記載の検出方法。
【請求項３３】  個別の警報出力は、前記警報条件の少なくとも一に対し供給される
ことを特徴とする請求項２８、３０または３１に記載の検出方法。
【請求項３４】  前記粒子サイズまたはサイズ範囲もしくはその両方を決定する際に、第１の範囲にある粒子または相対的に小さな粒子若しくはその両方を検出するための第１の光源と、第２の範囲にある粒子または相対的に大きな粒子若しくはその両方を検出するための第２の光源とを用いる
ことを特徴とする請求項２６乃至３３のいずれか一に記載の検出方法。
【請求項３５】  前記粒子サイズまたはサイズ範囲もしくはその両方を決定する際に、前記第１の光源および前記第２の光源は交互に動作する
ことを特徴とする請求項３４に記載の検出方法。
【請求項３６】  前記粒子サイズまたはサイズ範囲もしくはその両方を決定する際に、相対的に短い波長の光と相対的に長い波長の光とを用いる
ことを特徴とする請求項２６乃至３５のいずれか一に記載の検出方法。
【請求項３７】  請求項２６乃至３６のいずれか一に記載の方法に従って、警報条件を決定する
ことを特徴とする粒子と煙の少なくともいずれか一を検出する検出器。
【請求項３８】  気体が流れるダクト等のコンジットに取り付けられるプローブであって、
請求項１乃至２５のいずれか一または３７に記載の粒子検出装置または検出器へ気体が流れるように構成され、
前記コンジットに挿入される第１の部分と、
下流の気体を排気するための排気部とを有し、
前記第１の部分は、上流からの気体を吸い込むための吸気部を備え、
前記吸気部と前記排気部の各々は、流体抵抗を実質的に最小に保ちつつ、該プローブ内の流体の流れ方向を変化させるための曲線部を有する
ことを特徴とするプローブ。
【請求項３９】  前記粒子検出装置は一点型検出器である
ことを特徴とする請求項１乃至８のいずれか一に記載の粒子検出装置。
【請求項４０】  前記粒子検出装置は吸気型検出器である
ことを特徴とする請求項１乃至８のいずれか一に記載の粒子検出装置。
【請求項４１】  前記第１の光線および前記第２の光線は、前記検出ゾーンの軸に対して異なる角度で提供される
ことを特徴とする請求項１乃至８のいずれか一に記載の粒子検出装置。
【請求項４２】  前記粒子検出器は一点型検出器である
ことを特徴とする請求項９、２２、２３、２４、２５、３７のいずれか一に記載の検出器。
【請求項４３】  前記粒子検出器は吸気型検出器である
ことを特徴とする請求項９、２２、２３、２４、２５、３７のいずれか一に記載の検出器。
【請求項４４】  前記第１の光線および前記第２の光線は、前記検出ゾーンの軸に対して異なる角度で提供される
ことを特徴とする請求項９、２２、２３、２４、２５、３７のいずれか一に記載の検出器。
【請求項４５】  前記粒子検出器は一点型検出器である
ことを特徴とする請求項１０乃至２１のいずれか一に記載の粒子検出器。
【請求項４６】  前記粒子検出器は吸気型検出器である
ことを特徴とする請求項１０乃至２１のいずれか一に記載の粒子検出器。
【請求項４７】  各光源から、異なる角度で複数の光が放射される
ことを特徴とする請求項２６乃至３６のいずれか一に記載の検出方法。